(57)【要約】【課題】新紙幣と旧紙幣とを並行使用する環境の市場における旧紙幣の流通割合を容易に把握して改刷に伴う新紙幣への移行に自動取引装置を容易に適合させることができる手段を提供する。【解決手段】新紙幣と旧紙幣とを並行使用する環境の下における紙幣の種類毎の入金紙幣枚数を蓄積する入金紙幣枚数データベースを有する集中管理サーバと旧紙幣の流通割合に応じて紙幣運用モードを切替えて運用する自動取引装置とを接続して紙幣運用システムを構成し、集中管理サーバが各自動取引装置へ入金された新紙幣や旧紙幣の紙幣の種類毎の入金紙幣枚数を定期的に収集し、この収集結果を基に旧紙幣の入金割合を記載した紙幣運用モード切替資料を作成してプリンタや係員端末の画面に出力する。【選択図】        図１
2004318518.tif 000002
【特許請求の範囲】
【請求項１】
新紙幣と旧紙幣とを並行使用する環境の下における紙幣の種類毎の入金紙幣枚数を管理する集中管理サーバと、旧紙幣の流通割合に応じて紙幣運用モードを切替えて運用する自動取引装置とを備え、
前記集中管理サーバが、前記自動取引装置へ入金された紙幣の種類毎の入金紙幣枚数を定期的に収集し、該収集結果を基に紙幣運用モード切替資料を作成して出力することを特徴とする紙幣運用システム。
【請求項２】
請求項１において、
前記紙幣運用モードが、新旧紙幣混在モードと、新紙幣少量モードと、新紙幣多量モードと、新紙幣モードとからなることを特徴とする紙幣運用システム。
【請求項３】
請求項１または請求項２において、
入金紙幣枚数データベースを設け、該入金紙幣枚数データベースに前記集中管理サーバが収集した紙幣の種類毎の入金紙幣枚数を蓄積し、前記紙幣運用モード切替資料として集計期間の指定に応じた旧紙幣の入金割合の一覧表を作成することを特徴とする紙幣運用システム。
【請求項４】
新紙幣と旧紙幣とを並行使用する環境の下における旧紙幣の流通割合に応じて紙幣運用モードを切替えて運用する自動取引装置に接続し、紙幣の種類毎の入金紙幣枚数を蓄積する入金紙幣枚数データベースを有する集中管理サーバに、
前記自動取引装置に対して入金された紙幣の種類毎の入金紙幣枚数を定期的に問合せる入金紙幣枚数問合ステップと、
前記問合の結果を受信して入金紙幣枚数データベースに格納して蓄積する入金紙幣枚数蓄積ステップと、
集計期間の指定に応じて蓄積した入金紙幣枚数を抽出して旧紙幣の入金割合を算出する旧紙幣入金割合算出ステップと、
紙幣運用モード切替資料として旧紙幣割合を一覧表にして出力する紙幣運用モード切替資料出力ステップとを実行させることを特徴とする紙幣運用システムのプログラム。
【発明の詳細な説明】
【０００１】
【発明の属する技術分野】
本発明は、旧紙幣と改刷による新紙幣とを並行使用する環境下で、金融機関等に設置された自動取引装置等の新紙幣への移行に用いる紙幣運用システムおよびそのプログラムに関する。
【０００２】
【従来の技術】
従来の自動取引装置は、異なる種類の紙幣、例えば外国紙幣による取引に用いる場合は、鑑別部が鑑別する紙幣の金種識別情報を変更し、金種別入出金庫に収納する紙幣の金種を外国紙幣に切替えて自動取引を行っている（例えば、特許文献１参照。）。
【０００３】
また、改刷による新紙幣の取扱については、特願２００２−３７３４０９に自動取引装置による取引の運用に紙幣運用モードを設定し、この紙幣運用モードを新旧紙幣の流通割合に応じて切替える技術が提案されている。
【０００４】
【特許文献１】
特開２００２−１９７５１６号公報（第５頁
【００３４】−
【００４２】、第５図、第１０図）
【０００５】
【発明が解決しようとする課題】
しかしながら、上述した従来の技術においては、国や共通通貨圏のような特定の地域に限定された紙幣を取扱うことのみを考慮し、識別できる金種識別情報を変更して運用するものであるため、旧紙幣を改刷による新紙幣に移行させる場合等の同一金種の旧紙幣と改刷後の新紙幣とを並行使用する環境、つまり識別する必要がある紙幣の種類が一時的に増加する環境での自動取引装置による取引に対応させるには自動取引装置に金種別入出金庫を増設する等の改造または新規に自動取引装置を製作する必要があり、金融機関の負担増等の多大な無駄が発生するという問題がある。
【０００６】
このため、旧紙幣を取扱っている自動取引装置を改造せずに金種別入出金庫等に収納する紙幣の種類を変更しながら対応しようとすると、市場における新紙幣や旧紙幣の流通量を把握することが困難であり、改刷直後等の旧紙幣での入金が多い時期に改刷後の新紙幣のみを出金するような運用モードを設定すると循環使用されない旧紙幣が多量に自動取引装置に残留して入金停止になったり、出金する新紙幣が不足して出金停止になったりして多大な混乱を招くという問題がある。
【０００７】
本発明は、上記の問題点を解決するためになされたもので、市場における旧紙幣の流通割合を容易に把握して改刷に伴う新紙幣への移行に自動取引装置を容易に適合させることができる手段を提供することを目的とする。
【０００８】
【課題を解決するための手段】
本発明は、上記課題を解決するために、紙幣運用システムが、新紙幣と旧紙幣とを並行使用する環境の下における紙幣の種類毎の入金紙幣枚数を管理する集中管理サーバと、旧紙幣の流通割合に応じて紙幣運用モードを切替えて運用する自動取引装置とを備え、前記集中管理サーバが、前記自動取引装置へ入金された紙幣の種類毎の入金紙幣枚数を定期的に収集し、該収集結果を基に紙幣運用モード切替資料を作成して出力することを特徴とする。
【０００９】
また、新紙幣と旧紙幣とを並行使用する環境の下における旧紙幣の流通割合に応じて紙幣運用モードを切替えて運用する自動取引装置に接続し、紙幣の種類毎の入金紙幣枚数を蓄積する入金紙幣枚数データベースを有する集中管理サーバに、前記自動取引装置に対して入金された紙幣の種類毎の入金紙幣枚数を定期的に問合せる入金紙幣枚数問合ステップと、前記問合の結果を受信して入金紙幣枚数データベースに格納して蓄積する入金紙幣枚数蓄積ステップと、集計期間の指定に応じて蓄積した入金紙幣枚数を抽出して旧紙幣の入金割合を算出する旧紙幣入金割合算出ステップと、紙幣運用モード切替資料として旧紙幣割合を一覧表にして出力する紙幣運用モード切替資料出力ステップとを実行させることを特徴とする。
【００１０】
【発明の実施の形態】
以下に、図面を参照して本発明による紙幣運用システムの実施例について説明する。
図１は本発明の実施例を示すブロック図、図２はその自動取引装置を示すブロック図、図３はその紙幣入出金部を示すブロック図である。
【００１１】
図１において、１は集中管理センタに設置された集中管理サーバであり、入金紙幣枚数データベース２を保有しており、銀行の支店等の店舗に設置されている自動取引装置３へ入金された新紙幣や旧紙幣の入金紙幣の枚数を入金紙幣枚数データベース２に蓄積して紙幣の種類毎に一括して管理する。
集中管理サーバ１は、センタ内ＬＡＮ（Ｌｏｃａｌ  Ａｒｅａ  Ｎｅｔｗｏｒｋ）４、ルータ５を介して専用回線や電話回線等の通信ネットワーク６と接続し、店舗内ＬＡＮ７、ルータ８を介して通信ネットワーク６に接続している各店舗の自動取引装置３との間で相互にデータ通信可能に構成する。
【００１２】
入金紙幣枚数データベース２は、集中管理サーバ１が収集した各店舗の自動取引装置３に入金された旧紙幣の１万円紙幣、５千円紙幣、１千円紙幣（それぞれ旧万券、旧５千券、旧千券という。）および改札による新紙幣の１万円紙幣、５千円紙幣、１千円紙幣（それぞれ新万券、新５千券、新千券という。）並びに２千円紙幣（２千券という。）の紙幣の種類毎の入金紙幣枚数を格納する。
【００１３】
なお、入金紙幣枚数データベース２はセンタ内ＬＡＮ４に接続するようにして設けるようにしてもよい。
９は集中管理センタに設置されている係員端末であり、センタ内ＬＡＮ４に接続し、集中管理センタ等の係員が集計期間等の入力を行うキーボードやマウス等の入力手段を備え、集中管理サーバ１が作成した紙幣の種類毎の入金紙幣枚数の一覧表等を表示する表示機能を有している。
【００１４】
１０はプリンタであり、センタ内ＬＡＮ４に接続し、集中管理サーバ１から送信される紙幣の種類毎の入金紙幣枚数の一覧表等の印刷データを用紙に印刷して排出する印刷機能を有している。
なお、集中管理サーバ１の設置場所は、全国を束ねて１箇所に設置するようにしてもよく、都道府県毎、都市毎またはこれらを複数まとめた広域の地域毎に設置するようにしてもよい。つまり複数の自動取引装置３を一括して管理するものであれば設置場所には限定されるものではない。
【００１５】
図２において、１１は自動取引装置３の主制御部であり、通信部１２によって店舗内ＬＡＮ７、ルータ８、通信ネットワーク６、ルータ５、センタ内ＬＡＮ４を経由して集中管理サーバ１と接続し、データ通信を制御すると共に自動取引装置３内の各部を制御して顧客との取引を行う。
１３は記憶部であり、主制御部１１が実行するプログラムや主制御部１１による処理結果等が格納される。
【００１６】
１４は顧客操作部であり、ＬＣＤ等の表示画面とタッチパネル等の位置信号検出手段との組合せで構成されており、表示画面に取引選択画面等を表示する一方、位置信号検出手段により顧客からの入力を受付ける。
１５はカード取扱部であり、挿入された顧客のキャッシュカード等の取引カードの磁気ストライプに記録されている内容を読み書きすると共に取引明細票等を印刷する機能を有している。
【００１７】
１６は通帳取扱部であり、挿入された顧客の通帳の磁気ストライプに記録されている内容を読み書きすると共に取引内容等を顧客の通帳に記帳する。
１７は紙幣入出金部であり、顧客が投入した紙幣を受入れ、これを鑑別、計数して収納し、顧客に払出す紙幣を排出する。
１８は硬貨入出金部であり、顧客が投入した硬貨を受入れ、これを鑑別、計数して収納し、顧客に払出す硬貨を排出する。
【００１８】
１９は係員操作部であり、自動取引装置３の背面側に設けられ、ＬＣＤ等の表示画面とタッチパネル等の位置信号検出手段との組合せで構成されており、表示画面に係員が電源の投入や遮断、紙幣運用モードの設定等を行う業務選択画面を表示する一方、位置信号検出手段により係員からの入力を受付ける。
図３において、２１は紙幣入出金部１７の紙幣入出金口であり、顧客が投入する紙幣を受入れると共に顧客へ払出す紙幣を集積して排出する。
【００１９】
２２は鑑別部であり、鑑別する紙幣の種類を識別するための複数の金種識別情報が登録されており、紙幣入出金口２１から繰出されて搬送路２３ａ、２３ｂにより搬送された紙幣等の真偽や正損、新旧、金種および重送や斜行等の搬送異常等の鑑別を行うと共にその枚数を計数する。
搬送路２３ａ、２３ｂは、対向配置した一対のベルトまたは一対のローラに紙幣を挟持して搬送する搬送路である。搬送路２３ｃ、２３ｄ、２３ｅ、２３ｆも同様である。
【００２０】
２４ａ、２４ｂ、２４ｃは金種別入出金庫であり、それぞれに設定された紙幣を収納すると共に、顧客に払出すための紙幣を搬送路２３ｃへ繰出す機能を有している。
２５は補充回収カセットであり、自動取引装置３へ着脱可能に装着され、装填されている紙幣を金種別入出金庫２４ａ、２４ｂ、２４ｃ（これらを総称する場合は、金種別入出金庫２４という。）へ補充、および金種別入出金庫２４に収納されている紙幣を回収するための金庫であって、補充時に搬送異常により金種別入出金庫２４へ収納できなかった補充リジェクト紙幣を回収するための補充リジェクト庫２６を備えている。
【００２１】
２７は汎用収納庫であり、入金は受付けるが出金には用いない紙幣、つまり金種別入出金庫２４に設定されていない紙幣や真券ではあるが出金に使用できない損券および出金時に搬送異常により鑑別できなかった出金リジェクト紙幣が搬送されて収納される。
２８は取忘れ回収庫であり、紙幣入出金口２１に排出した紙幣が所定の時間を経過しても受取られなかった取忘れ紙幣が搬送されて回収される。
【００２２】
上述した構成の作用について説明する。
なお、本実施例では日本紙幣の改刷の場合を例に説明するが、外国紙幣の場合も同様である。
本実施例の自動取引装置３による紙幣の入出金以外の取引の作動は、通常の自動取引装置による取引の作動と同様であるのでその説明を省略する。
【００２３】
本実施例では、鑑別部２２には旧万券、旧５千券、旧千券、２千券、新万券、新５千券および新千券の７種類の紙幣を識別するための金種識別情報が登録されており、これにより新紙幣と旧紙幣を並行使用する取引を可能としている。
また、自動取引装置３の記憶部１３には、紙幣入出金口２１から入金された紙幣の枚数をその金種と新旧の別を区分して入金紙幣枚数を種類毎に記憶する入金紙幣枚数記憶エリアが確保されている。この入金紙幣枚数記憶エリアは本実施例の紙幣運用システムの立上時に各紙幣の種類毎に「０」に設定される。
【００２４】
なお、旧紙幣と同一金種の新紙幣は、紙幣入出金口２１、鑑別部２２、金種別入出金庫２４等が同時に取扱うことができる程度の形状に設定されている。
本実施例では、自動取引装置３の紙幣運用モードとして、図４に示す新旧紙幣混在モード、新紙幣少量モード、新紙幣多量モードおよび新紙幣モードの４種類の紙幣運用モードが設けられる。
【００２５】
新旧紙幣混在モードは、自動取引装置３による顧客との取引において、入金は新旧紙幣と２千券の混在を許容し、出金は新旧万券と新旧千券で行うものであって、改刷直後等の市場に流通している旧紙幣が多量に存在する時期に有用な紙幣運用モードである。
新紙幣少量モードは、取引における入金は新旧紙幣と２千券の混在を許容し、出金は新万券と新千券で行うものであって、新紙幣の流通がある程度進み、金融機関への新紙幣の供給不足が解消され、旧紙幣を積極的に回収して新紙幣と旧紙幣との入替えを図る時期に有用な紙幣運用モードである。
【００２６】
新紙幣多量モードは、取引における入出金は紙幣少量モードと同様であるが、金種別入出金庫２４の運用形態を新紙幣と２千券が流通する環境に適合させたものであって、新紙幣への入替えが進んで流通している新紙幣が多くなり、旧紙幣が少なくなった時期に有用な紙幣運用モードである。
新紙幣モードは、取引における入金は新紙幣と２千券で行い、出金は新万券と新千券で行うものであって、新紙幣への移行がほぼ終了して旧紙幣が入金された場合に旧紙幣を顧客に返却しても取引に支障が生じない時期および新紙幣と２千券のみが流通する時期に有用な紙幣運用モードである。
【００２７】
以下に、図３を用いて各紙幣運用モードの作動について説明する。
自動取引装置３の記憶部１３には図４に示す各紙幣運用モードの紙幣設定テーブルが予め格納されており、主制御部１１はこれに従って現在運用している紙幣運用モードの紙幣設定を紙幣入出金部１７の金種別入出金庫２４、補充回収カセット２５および汎用収納庫２７に対して設定する。
【００２８】
例えば、新旧紙幣混在モードでは、金種別入出金庫２４ａ、２４ｂには新旧万券を、金種別入出金庫２４ｃには新旧千券を、汎用収納庫２７には新旧５千券、２千券および損券を収納するように設定する。
また、補充回収カセット２５には補充用の新旧万券、新旧千券を装填するように設定し、これらの紙幣が装填された補充回収カセット２５が自動取引装置３へ装着される。
【００２９】
顧客が入金や現金振込等のために紙幣を紙幣入出金口２１へ投入すると、主制御部１１はこれを検知して投入された紙幣を紙幣入出金口２１から繰出して搬送路２３ａ、２３ｂを経由して鑑別部２２へ搬送し、鑑別部２２は搬送された紙幣の真偽、正損、新旧、金種、搬送異常等の鑑別およびその枚数の計数を行い、その鑑別結果を主制御部１１へ転送する。
【００３０】
主制御部１１は、鑑別結果の紙幣の枚数をその種類毎に記憶部１３の入金紙幣枚数記憶エリアの現在値に加算して累積すると共に、鑑別結果を基に鑑別された紙幣が真券でありかつ正券であって、金種別入出金庫２４に設定されている紙幣である場合は、搬送路２３ｃにより鑑別部２２から金種別入出金庫２４へ搬送し、紙幣設定に従って紙幣をそれぞれの金種別入出金庫２４へ収納する。
【００３１】
鑑別された紙幣が損券等の汎用収納庫２７に設定されている紙幣の場合は、その紙幣を金種別入出金庫２４を通過させて搬送路２３ｅにより汎用収納庫２７へ搬送して収納する。
鑑別された紙幣が偽券や外国紙幣、搬送異常等の異常紙幣の場合は、主制御部１１は搬送路２３ｂ、２３ａを逆転させて異常紙幣を紙幣入出金口２１へ搬送して顧客に返却する。
【００３２】
例えば、新旧紙幣混在モードでは、鑑別された紙幣が新旧万券のときは金種別入出金庫２４ａまたは２４ｂへ、その紙幣が新旧千券のときは金種別入出金庫２４ｃへ、その紙幣が２千券や新旧５千円紙幣または損券のときは汎用収納庫２７へ搬送して収納する。
顧客の要求金額や釣銭等を出金する場合は、主制御部１１は出金する額に必要な紙幣を金種別入出金庫２４からそれぞれ必要枚数繰出し、搬送路２３ｃ、鑑別部２２、搬送路２３ｂ、２３ａを経由して紙幣入出金口２１へ排出して顧客に払出す。
【００３３】
この時、搬送異常による出金リジェクト紙幣は、鑑別部２２から搬送路２３ｂ、２３ａ、２３ｄ、２３ｅを経由して汎用収納庫２７へ搬送して収納する。
また、紙幣入出金口２１に取忘れ紙幣が存在するときは、搬送路２３ａ、２３ｂ、鑑別部２２、搬送路２３ｃ、２３ｅを経由して取忘れ回収庫２８へ搬送して回収する。
【００３４】
自動取引装置３へ紙幣を補充する場合、つまり保守担当者が自動取引装置３の資金不足を補うために係員操作部１９の画面に表示されている業務選択画面から「補充」ボタンを押下した場合は、これを検知した主制御部１１は、装着された補充回収カセット２５から紙幣を繰出し、搬送路２３ａ、２３ｂにより鑑別部２２へ搬送して鑑別し、その鑑別結果を主制御部１１へ転送する。
【００３５】
主制御部１１は、その鑑別結果を基に金種別入出金庫２４の紙幣設定に従って鑑別された紙幣を搬送路２３ｃによりそれぞれの金種別入出金庫２４へ搬送して収納する。
また、金種別入出金庫２４の収納量検知センサが収納していた紙幣が不足しかけていることを知らせるためのニアエンド情報を発した場合は、これを検知した主制御部１１は上記と同様にして転送された鑑別結果を基に該当する紙幣を搬送路２３ｃにより該当する金種別入出金庫２４へ搬送して収納し、該当する紙幣でないときは搬送路２３ｃ、２３ｄ、２３ｆを経由して補充回収カセット２５へ返送して再び収納する。
【００３６】
上記の補充動作において、搬送異常による補充リジェクト紙幣は搬送路２３ｃにより補充回収カセット２５の補充リジェクト庫２６へ搬送して回収する。
なお、補充動作において鑑別された紙幣の種類の枚数は、記憶部１３の入金紙幣枚数記憶エリアには記憶されない。
自動取引装置３から紙幣を回収する場合、つまり保守担当者が自動取引装置３のから紙幣を回収するために係員操作部１９の画面に表示されている業務選択画面から「回収」ボタンを押下した場合は、これを検知した主制御部１１は金種別入出金庫２４に収納されている紙幣を繰出して搬送路２３ｃ、鑑別部２２、搬送路２３ｂ、２３ａ、２３ｄ、２３ｆにより、汎用収納庫２７に収納されている紙幣を繰出して搬送路２３ｅ、２３ｃ、鑑別部２２、搬送路２３ｂ、２３ａ、２３ｄ、２３ｆにより補充回収カセット２５へ搬送して回収する。
【００３７】
また、金種別入出金庫２４の収納量検知センサが収納できる紙幣に余裕がなくなったことを知らせるためのニアフル情報を発した場合は、これを検知した主制御部１１はその金種別入出金庫２４から紙幣を繰出して搬送路２３ｃ、鑑別部２２、搬送路２３ｂ、２３ａ、２３ｄ、２３ｆにより補充回収カセット２５へ搬送して回収する。
【００３８】
なお、紙幣運用モードの内、新紙幣モードにおいては顧客が投入した旧紙幣は異常紙幣として紙幣入出金口２１へ搬送して顧客に返却する。この場合に顧客は所持している新紙幣を改めて投入するようにする。
このようにして、本実施例の紙幣運用モードによる自動取引装置３の運用が行われる。
【００３９】
上記の紙幣運用モードの切替は、後述する集中管理サーバ１が出力する紙幣運用モード切替資料を基に金融機関の保守担当者がその旧紙幣の流通割合に応じて係員操作部１９から適切な紙幣運用モードを選択して行う。
以下に、紙幣運用モードの切替の作動について説明する。
自動取引装置３は市場の旧紙幣の流通割合に応じた紙幣運用モードによって取引を行っている。
【００４０】
金融機関は紙幣運用モード切替資料による旧紙幣の流通割合を考慮して紙幣運用モードの切替を判断し、切替を指示された保守担当者は係員操作部１９の図示しない業務選択画面から「紙幣運用モード切替」を選択して金種別収納庫２４等の紙幣設定を変更する。
すなわち、主制御部１１は係員操作部１９の画面に紙幣運用モード選択画面を表示し、保守担当者は切替を指示されたモード選択ボタンを押下する。
【００４１】
押下されたモード選択ボタンの内容をタッチパネルからの位置信号等により認識した主制御部１１は、記憶部１３の図４に示す紙幣設定テーブルを参照し、係員操作部１９の画面に金種別入出金庫２４の紙幣設定を選択された紙幣運用モードに切替えるために収納紙幣の回収が必要な金種別入出金庫２４の識別番号および／もしくは紙幣の種類を係員操作部１９の画面に表示する。
【００４２】
保守担当者の確認操作を認識した主制御部１１は、上記の回収動作と同様にして表示した金種別入出金庫２４等に収納されている紙幣を補充回収カセット２５へ回収する。
補充回収カセット２５への紙幣の回収が終了すると、主制御部１１は係員操作部１９の画面に切替える紙幣運用モードの補充回収カセット２５に設定された装填すべき紙幣の紙幣設定を表示し、保守担当者は紙幣を回収した補充回収カセット２５を自動取引装置３から取出し、表示された紙幣を装填した補充回収カセット２５を自動取引装置３へ装着する。
【００４３】
これを検知した主制御部１１は、上記の補充動作と同様にして金種別入出金庫２４へ紙幣設定に従った紙幣を収納する。
このようにして、紙幣運用モードの切替が行われる。
この場合に、例えば新紙幣多量モードから新紙幣モードへの切替のように金種別入出金庫２４の紙幣設定を変更しなくても切替が可能な場合は、上記の補充回収カセット２５を用いた紙幣の回収や補充を省略するようにしてもよい。
【００４４】
以上のようにして、本実施例の紙幣運用モードの切替およびその紙幣運用モードによる自動取引装置３の運用が行われる。
以下に、紙幣運用モードの切替の判断に必要となる市場の旧紙幣の流通割合等を知るための統計資料である紙幣運用モード切替資料の作成の作動について図５に示すフローチャートを用い、Ｓで示すステップに従って説明する。
【００４５】
この紙幣運用モード切替資料の作成は、集中管理サーバ１が各金融機関の自動取引装置３から定期的に入金紙幣の枚数を収集して入金紙幣枚数データベース２に蓄積し、係員端末９から入力された集計期間等の指示に応じて入金紙幣枚数や旧紙幣の入金割合等を一覧表にした統計資料に編集して作成する。
Ｓ１、Ｓ２、集中管理サーバ１は、係員端末９からの紙幣運用モード切替資料作成のための資料作成要求の受信を待つ資料作成要求受信待ち状態（ステップＳ１）および定期的、例えば２時間毎に自動取引装置３へ入金紙幣枚数の問合を行う時刻を待つ問合時刻待ち状態（ステップＳ２）で待機しており、係員端末９からの資料作成要求を受信した時を契機としてステップＳ６へ、入金紙幣枚数の問合時刻が到来した時を契機としてステップＳ３へそれぞれ分岐して以降のステップを実行する。
【００４６】
上記のステップＳ１、Ｓ２による集中管理サーバ１の待機は、常時実行されており、それぞれの契機によってその処理を並行処理により実行する。
Ｓ３、各金融機関の自動取引装置３への入金紙幣枚数の問合時刻が到来すると、集中管理サーバ１は、自動取引装置３への入金紙幣枚数を収集するために図６に示す内容の問合電文をセンタ内ＬＡＮ４、ルータ５、通信ネットワーク６、ルータ８、店舗内ＬＡＮ７を経由して自動取引装置３へ送信する。
【００４７】
問合電文には、問合先の金融機関の名称である金融機関名、その店舗の識別コードである店番、その店舗の自動取引装置３の識別コードである自動取引装置機番、宛先である自動取引装置３のネットワークアドレスおよび入金紙幣枚数の問合せであることを識別するための問合識別子等が記述される。
問合電文を通信部１２によって受信した自動取引装置３の主制御部１１は、そのネットワークアドレスにより該当する自動取引装置３であること、問合識別子により入金紙幣枚数に対する問合であることを認識し、記憶部１３の入金紙幣枚数記憶エリアのその時の紙幣の種類毎の累積入金枚数を読出し、これを図７に示す内容の結果応答電文にして上記とは逆の経路で集中管理サーバ１へ送信する。
【００４８】
結果応答電文には、応答する金融機関の名称である金融機関名、その店舗の識別コードである店番、その店舗の自動取引装置３の識別コードである自動取引装置機番、宛先である集中管理サーバ１のネットワークアドレス、入金紙幣枚数の問合せであることを識別するための問合識別子、読み出した紙幣の種類毎の累積入金枚数およびその時の紙幣運用モード等が記述される。
【００４９】
Ｓ４、結果応答電文を受信した集中管理サーバ１は、そのネットワークアドレスにより自己への送信であること、問合識別子により送信した問合電文に対する入金紙幣枚数の応答であることを認識する。
Ｓ５、入金紙幣枚数の応答であることを認識した集中管理サーバ１は、図８に示す金融機関名、店番、自動取引装置機番、結果応答電文受信日時、受信した紙幣の種類毎の累積入金枚数および紙幣運用モード等を記述したデータベースレコードにより金融機関名に対応させて入金紙幣枚数データベース２に格納する。
【００５０】
このようにして、各自動取引装置３から収集した入金紙幣枚数が入金紙幣枚数データベース２へ蓄積される。
その後、集中管理サーバ１はステップＳ１へ戻ってステップＳ１とＳ２の待機を継続する。
Ｓ６、係員端末９からの資料作成要求を受信すると、集中管理サーバ１は図９に示す切替資料作成内容入力画面をセンタ内ＬＡＮ４を介して係員端末９へ送信し、その画面に表示する。
【００５１】
切替資料作成内容入力画面には、統計資料を作成する期間を入力する集計期間入力欄、対象となる銀行等の金融機関の名称入力欄、その金融機関の店舗内の自動取引装置３の入金紙幣枚数のみの統計資料を作成するときに選択する店内チェック欄、その金融機関の店舗が管理する店舗の外に設置した無人ブース等の自動取引装置３の入金紙幣枚数のみの統計資料を作成するときに選択する店外チェック欄および特定の店舗の自動取引装置機番を指定して統計資料を作成するときに入力する店番入力欄と機番入力欄、並びに入力を確定するための「作成」ボタンおよび切替資料作成内容の入力を取止めるための「キャンセル」ボタンが表示される。
【００５２】
なお、図９に示した▼を付した入力欄は、マウス等によりクリックすると予め用意された金融機関の名称等のプルダウンメニューが表示されることを示す。
係員はマウスやキーボードによって係員端末９に表示された切替資料作成内容入力画面へ集計期間や金融機関の名称等を入力する。
この場合に、集計期間入力欄と名称入力欄の入力は必須であり、店内チェック欄または店外チェック欄のどちらかがチェックされた場合は集計期間入力欄の期間内に名称入力欄の金融機関の全店舗のチェックされた場所に設置された自動取引装置３の入金紙幣枚数のみの統計資料が作成され、両方にチェックされた場合または両方共チャックされない場合は集計期間入力欄の期間内に名称入力欄の金融機関の全店舗の店内および店外の全ての自動取引装置３の入金紙幣枚数の統計資料が作成される。
【００５３】
また、店番入力欄と機番入力欄に入力がなされた場合は、集計期間入力欄の期間内に名称入力欄の金融機関のその店番の自動取引装置機番の自動取引装置３の入金紙幣枚数のみの統計資料が作成される。
本実施例では、集計期間入力欄と名称入力欄への入力および店内チェック欄へのチェックが行われ、係員はマウス等により入力の確定のために「作成」ボタンを押下する。
【００５４】
この入力データは、センタ内ＬＡＮ４を経由して係員端末９から集中管理サーバ１へ送信される。
Ｓ７、切替資料作成内容の入力データを受信した集中管理サーバ１は、受信した入力データにより集計期間や金融機関名等の切替資料の作成内容を認識する。
なお、「キャンセル」ボタンが押下された入力データを受信した場合は、集中管理サーバ１はその後のステップの実行を取止め、ステップＳ１へ戻ってステップＳ１とＳ２の待機を継続する。
【００５５】
Ｓ８、集中管理サーバ１は、認識した金融機関名と集計期間を基に入金紙幣枚数データベース２から該当する金融機関名の該当する集計期間とその開始日付の一日前とのデータベースレコードを全て抽出する。
Ｓ９、データベースレコードを抽出すると、集中管理サーバ１は図１０に示す日毎の一覧表を作成する。
【００５６】
すなわち、集中管理サーバ１は、抽出したデータベースレコードの結果応答電文受信日時を基にデータベースレコードを日毎に分割し、その日の最後のデータベースレコードの紙幣の種類毎の累積入金枚数からその前日の最後の累積紙幣枚数を減算してその日の紙幣の種類毎の入金紙幣枚数を算出し、日毎に算出された紙幣の種類毎の入金紙幣枚数を基に旧紙幣の入金割合を算出する。
【００５７】
そして、予め登録されている店番と設置場所の対照表を参照して図１０に示す日毎の一覧表を作成する。
本実施例では、店内チェック欄がチェックされているので、該当する金融機関の全店舗の店内に設置されている自動取引装置３の機番のみを編集して日毎の一覧表を作成する。
【００５８】
図１０に示す日毎の一覧表には、対象となる金融機関名とその店内および／もしくは店外の別、並びに集計した日付毎にその店番、自動取引装置３の機番、設置場所名、紙幣運用モード、旧万券入金紙幣枚数、旧５千券入金紙幣枚数、旧千券入金紙幣枚数、２千券入金紙幣枚数、新万券入金紙幣枚数、新５千券入金紙幣枚数、新千券入金紙幣枚数および旧万券入金割合、旧５千券入金割合、旧千券入金割合がコード表記および／もしくは文字表記で記載される。
【００５９】
Ｓ１０、日毎の一覧表の作成を終えると、集中管理サーバ１は作成した日毎の一覧表を係員端末９へ送信してその画面に日毎の一覧表と表示した一覧表をプリンタ１０で印刷するための「印刷」ボタンおよび表示を終了するための「終了」ボタン等を表示する。
また、集計期間が１箇月を超えている場合には、月別に入金紙幣枚数を集計して表示するための「月別統計」ボタンおよび集計する金種を指示するための「万券」ボタンと「千券」ボタンを上記に加えて表示する。
【００６０】
係員はマウス等によりボタンを押下する。
係員端末９は押下されたボタンの内容を認識してこのボタン選択内容を集中管理サーバ１へ送信する。
この場合に「月別統計」ボタンが押下される前に「万券」ボタンまたは「千券」ボタンが押下されている場合は、係員端末９は押下されたボタンの金種の月別統計が必要と、両方のボタンが先に押下された場合または両方のボタンが押下されずに「月別統計」ボタンのみが押下された場合は万券と千券の両方の金種の月別統計が必要と認識してその内容を添付したボタン選択内容を送信する。
【００６１】
Ｓ１１、集中管理サーバ１は、受信したボタン選択内容が「月別統計」ボタンが押下されたものの場合はステップＳ１２へ移行する。
「月別統計」ボタンを表示しなかった場合またはボタン選択内容が「印刷」ボタンもしくは「終了」ボタンが押下されたものの場合はステップＳ１４へ移行する。
【００６２】
Ｓ１２、月別統計が必要と認識した集中管理サーバ１は、抽出したデータベースレコードを月毎に再編集し、ステップＳ９と同様にして図１１に示す月別一覧表を作成する。
図１１に示す月別一覧表には、対象となる金融機関名とその店内および／もしくは店外の別、並びに月毎に集計したその金融機関の全店舗の店内の全自動取引装置３の紙幣運用モード、旧万券入金紙幣枚数、旧千券入金紙幣枚数、新万券入金紙幣枚数、新千券入金紙幣枚数および旧万券入金割合、旧千券入金割合がコード表記および／もしくは文字表記で記載される。
【００６３】
なお、図１１は対象となる金融機関名に対する万券と千券の両方の金種の月別一覧表の作成例であるが、「千券」ボタンまたは「万券」ボタンが押下されている場合は押下された方の金種の月別一覧表が同様に作成される。
Ｓ１３、月別一覧表の作成を終えると、集中管理サーバ１は作成した月別一覧表を係員端末９へ送信してその画面に月別一覧表と表示した一覧表をプリンタ１０で印刷するための「印刷」ボタンおよび表示を終了するための「終了」ボタン等を表示する。
【００６４】
係員はマウス等によりボタンを押下し、係員端末９は押下されたボタンの内容を認識してこのボタン選択内容を集中管理サーバ１へ送信する。
Ｓ１４、集中管理サーバ１は、受信したボタン選択内容が「印刷」ボタンが押下されたものの場合はステップＳ１５へ移行する。
ボタン選択内容が「終了」ボタンが押下されたものの場合は、ステップＳ１へ戻ってステップＳ１とＳ２の待機を継続する。
【００６５】
Ｓ１５、一覧表の印刷が必要と認識した集中管理サーバ１は、その「印刷」ボタンの押下がステップＳ１０の日毎の一覧表を表示したときに押下されたものである場合は図１０に示す日毎の一覧表の印刷データを、ステップＳ１３の月別一覧表を表示したときに押下されたものである場合は図１１に示す月別一覧表の印刷データをセンタ内ＬＡＮ４を経由してプリンタ１０へ送信し、これを受付けたプリンタ１０はその印刷データを用紙に印刷して排出する。
【００６６】
印刷データの送信を終えた集中管理サーバ１は、ステップＳ１へ戻ってステップＳ１とＳ２の待機を継続する。
このようにして作成された日毎の一覧表や月別一覧表等の紙幣運用モード切替資料は、資料作成の対象となった銀行等の金融機関に有料または無料で供給され、金融機関はこの紙幣運用モード切替資料の旧紙幣入金割合を市場の旧紙幣の流通割合の指標とし、その推移を考慮して地域毎にまたは全行一斉に紙幣運用モードの切替時期を判断する。
【００６７】
なお、本実施例においては集中管理サーバ１を複数の銀行等の金融機関を一括して管理するとして説明したが、金融機関のセンタのホストコンピュータまたは集中監視端末に上記集中管理サーバ１の機能を追加して金融機関毎に設けるようにしてもよい。これにより金融機関は上記の紙幣運用システムを容易に導入することが可能になる。
【００６８】
また、紙幣運用モードは４つのモードを設けるとして説明したが、紙幣運用モードは上記の４つのモードに限らず、これらの一部を統合して２または３つのモードとしてもよく、これらのモードを更に細分化したモードとしてもよい。この場合においても上記の紙幣運用システムは有効に機能する。
更に、係員端末９は集中管理サーバ１と同じ施設に設置するとして説明したが、銀行の本店等に設置して通信ネットワーク６に接続し、銀行の本店等の担当者が入力して一覧表等を出力するようにしてもよい。
【００６９】
上記実施例の紙幣運用モードの作動の説明の入金の作動において、自動取引装置３の入金紙幣枚数の記憶は入金紙幣枚数記憶エリアの現在値に加算して累積するとして説明したが、このようにすると累積値が巨大化する場合等には、店舗における精査時に入金紙幣枚数記憶エリアの現在値を「０」にリセットするようにし、この時の累積紙幣枚数を集中管理サーバ１へ送信するようにしてもよい。
【００７０】
また、上記ステップＳ２において、集中管理サーバ１が入金紙幣枚数を２時間毎に問合せるとして説明したが、問合せの時間間隔は２時間に限らず、これよりも短くまたは長く設定してもよく、１日毎や１週毎であってもよい。
更に、ステップＳ９において、日毎の一覧表の表示画面に「月別統計」ボタン等を表示するとして説明したが、この「月別統計」ボタン等をステップＳ６で表示する図９に示す切替資料作成内容入力画面に表示して係員の選択を可能とするようにしてもよい。
【００７１】
以上説明したように、本実施例では、鑑別部による新紙幣と旧紙幣および２千券の鑑別を可能として自動取引装置における新旧紙幣の並行使用による取引を可能とし、集中管理サーバが定期的に収集した旧紙幣の入金割合を記載した一覧表等の画面表示および／もしくは印刷による紙幣運用モード切替資料を出力するようにしたことによって、金融機関は市場における旧紙幣の流通量を容易に把握することができると共に、紙幣運用モードを切替えて自動取引装置の大幅な改造を伴うことなく、旧紙幣と新紙幣とを並行使用する環境に自動取引装置を容易に適合させることができる他、自動取引装置の旧紙幣から新紙幣への移行を円滑に行うことができると共に新紙幣への対応を早期に実現することができる。
【００７２】
また、集中管理サーバが各金融機関の自動取引装置の入金紙幣枚数を一括して管理するようにしたことによって、紙幣運用システムの簡素化を図ることができると共により多くの入金紙幣枚数のデータから新旧紙幣の流通状況を把握することができ、地域毎および全国の新旧紙幣の流通状況をより正確に把握することができる。
【００７３】
更に、新旧紙幣混在モード、新紙幣少量モード、新紙幣多量モードおよび新紙幣モードからなる紙幣運用モードを設け、旧紙幣の流通割合に応じてこれを選択して設定するようにしたことによって、旧紙幣から新紙幣に移行する際の各時期に応じて適切な運用形態をとることができ、金融機関や顧客の要望に沿った新旧紙幣の並行使用による取引が可能となると共に、紙幣運用モードの切替を容易に行うことができ、保守担当者の負担を軽減することができる。
【００７４】
なお、本発明の紙幣運用システムの適用は、上記した自動取引装置への適用に限らず、金融機関の出納装置や応対窓口の窓口端末へ適用しても同様の効果を得ることができる。
【００７５】
【発明の効果】
以上述べたように、本発明は、金融機関は市場における旧紙幣の流通量を容易に把握することができると共に、紙幣運用モードを切替えて自動取引装置の大幅な改造を伴うことなく、旧紙幣と新紙幣とを並行使用する環境に自動取引装置を容易に適合させることができるという効果が得られる。
【図面の簡単な説明】
【図１】本発明の実施例を示すブロック図
【図２】実施例の自動取引装置を示すブロック図
【図３】実施例の紙幣入出金部を示すブロック図
【図４】実施例の紙幣設定テーブルを示す説明図
【図５】実施例の紙幣運用モード切替資料作成処理を示すフローチャート
【図６】実施例の問合電文の内容を示す説明図
【図７】実施例の結果応答電文の内容を示す説明図
【図８】実施例のデータベースレコードの内容を示す説明図
【図９】実施例の切替資料作成内容入力画面表示例
【図１０】実施例の日毎の一覧表の作成例を示す説明図
【図１１】実施例の月別一覧表の作成例を示す説明図
【符号の説明】
１    集中管理サーバ
２    入金紙幣枚数データベース
３    自動取引装置
４    センタ内ＬＡＮ
５、８ルータ
６    通信ネットワーク
７    店舗内ＬＡＮ
９    係員端末
１０  プリンタ
１１  主制御部
１２  通信部
１３  記憶部
１４  顧客操作部
１５  カード取扱部
１６  通帳取扱部
１７  紙幣入出金部
１８  硬貨入出金部
１９  係員操作部
２１  紙幣入出金口
２２  鑑別部
２３ａ、２３ｂ、２３ｃ、２３ｄ、２３ｅ、２３ｆ  搬送路
２４ａ、２４ｂ、２４ｃ  金種別入出金庫
２５  補充回収カセット
２６  補充リジェクト庫
２７  汎用収納庫
２８  取忘れ回収庫
【図１】
2004318518.tif 000003
【図２】
2004318518.tif 000004
【図３】
2004318518.tif 000005
【図４】
2004318518.tif 000006
【図５】
2004318518.tif 000007
【図６】
2004318518.tif 000008
【図７】
2004318518.tif 000009
【図８】
2004318518.tif 000010
【図９】
2004318518.tif 000011
【図１０】
2004318518.tif 000012
【図１１】
2004318518.tif 000013